(57)【要約】【課題】  記録媒体の両面に良好な画像形成が簡単に行える画像形成装置を提供する。【解決手段】  像保持部材15に保持されたトナー像を記録媒体Sに転写させる転写ローラ18と、転写されたトナー像を記録媒体に加熱定着させる定着装置20と、トナー像が片面に定着された記録媒体を反転させて転写ローラに導く反転移送手段22とを備えた画像形成装置において、抵抗測定装置23により転写ローラと像保持部材との間に記録媒体が存在しない状態と記録媒体の片面にトナー像を転写させている状態とにおける転写ローラと像保持部材との間の電気抵抗を測定し、この結果から制御装置30により、記録媒体の電気抵抗値を算出して、反転移送手段によりトナー像が片面に定着された記録媒体を反転させて転写ローラに導く時間を制御する。【選択図】  図１
2010002434.tif 000002
【特許請求の範囲】
【請求項１】
像保持部材に保持されたトナー像を記録媒体に転写させる転写ローラと、このように転写されたトナー像を記録媒体に加熱定着させる定着装置と、トナー像が片面に定着された記録媒体を反転させて上記の転写ローラに導く反転移送手段とを備えた画像形成装置において、上記の転写ローラと像保持部材との間に記録媒体が存在しない状態と記録媒体の片面にトナー像を転写させている状態とにおける転写ローラと像保持部材との間の電気抵抗を測定する抵抗測定装置を設け、この抵抗測定装置により測定された結果から上記の記録媒体の電気抵抗値を算出すると共に、この記録媒体の電気抵抗値に基づいて上記の反転移送手段によりトナー像が片面に定着された記録媒体を反転させて転写ローラに導く時間を制御する制御装置を設けたことを特徴とする画像形成装置。
【請求項２】
請求項１に記載の画像形成装置において、上記のように算出した記録媒体の電気抵抗値が高くなるに従って、上記の制御装置により、上記の反転移送手段によってトナー像が片面に定着された記録媒体を反転させて上記の転写ローラに導く時間を遅くすることを特徴とする画像形成装置。
【請求項３】
請求項１又は請求項２に記載の画像形成装置において、画像形成装置内の湿度を検出する環境センサを設け、この環境センサにより測定された画像形成装置内の湿度に基づいて、上記の制御装置により、上記の反転移送手段によってトナー像が片面に定着された記録媒体を反転させて転写ローラに導く時間を制御することを特徴とする画像形成装置。
【請求項４】
像保持部材に保持されたトナー像を記録媒体に転写させる転写ローラと、このように転写されたトナー像を記録媒体に加熱定着させる定着装置と、トナー像が片面に定着された記録媒体を反転させて上記の転写ローラに導く反転移送手段とを備えた画像形成装置において、上記の転写ローラと像保持部材との間に記録媒体が存在しない状態と記録媒体の片面にトナー像を転写させている状態とにおける転写ローラと像保持部材との間の電気抵抗を測定する抵抗測定装置を設け、この抵抗測定装置により測定された結果から上記の記録媒体の電気抵抗値を算出すると共に、この記録媒体の電気抵抗値に基づいて記録媒体の反対側の面にトナー像を転写させて記録媒体にトナー像を加熱定着させる速度を制御する制御装置を設けたことを特徴とする画像形成装置。
【請求項５】
請求項４に記載の画像形成装置において、上記の制御装置により算出された記録媒体の電気抵抗値が高くなるに従って、記録媒体の反対側の面にトナー像を転写させて記録媒体にトナー像を加熱定着させる速度を遅くすることを特徴とする画像形成装置。
【請求項６】
請求項４又は請求項５に記載の画像形成装置において、画像形成装置内の湿度を検出する環境センサを設け、この環境センサにより測定された画像形成装置内の湿度に基づいて、上記の制御装置により、記録媒体の反対側の面にトナー像を転写させて記録媒体にトナー像を加熱定着させる速度を制御することを特徴とする画像形成装置。
【請求項７】
請求項１〜６の何れか１項に記載の画像形成装置において、上記の像保持部材が、感光体からトナー像が転写される中間転写ベルトであることを特徴とする画像形成装置。
【発明の詳細な説明】
【技術分野】
【０００１】
本発明は、複写機，プリンタ，ファクシミリ及びこれらの複合機などの画像形成装置に係り、特に、像保持部材に保持されたトナー像を記録媒体に転写させる転写ローラと、このように転写されたトナー像を記録媒体に加熱定着させる定着装置と、トナー像が片面に定着された記録媒体を反転させて上記の転写ローラに導く反転移送手段とを備えた画像形成装置において、記録媒体の両面に簡単に良好な画像形成が行えるようにした点に特徴を有するものである。
【背景技術】
【０００２】
複写機，プリンタ，ファクシミリ及びこれらの複合機などの画像形成装置において、従来から、像保持部材に保持されたトナー像を記録媒体に転写させる転写ローラと、このように転写されたトナー像を記録媒体に加熱定着させる定着装置と、トナー像が片面に定着された記録媒体を反転させて上記の転写ローラに導く反転移送手段とを備え、記録媒体の両面に画像を形成させるようにしたものが用いられている。
【０００３】
ここで、このような画像形成装置において、記録媒体の両面に画像形成を行うにあたっては、先ず、トナー像が保持された像保持部材と転写ローラとの間に記録媒体を導き、像保持部材に保持されたトナー像を転写ローラにより記録媒体の片面に転写させた後、この記録媒体を定着装置に導き、上記のように転写されたトナー像を記録媒体の片面に加熱定着させるようにする。
【０００４】
そして、このように片面にトナー像が定着された記録媒体を反転移送手段により反転させて、次のトナー像が保持された像保持部材と転写ローラとの間に導き、その後は、上記の場合と同様に、転写ローラにより記録媒体の反対側の面にトナー像を転写させた後、この記録媒体を定着装置に導き、上記のように転写されたトナー像を記録媒体の反対側の面に定着させるようにする。
【０００５】
このようにして記録媒体の両面に画像形成を行うにあたり、上記のように記録媒体の片面に転写されたトナー像を定着装置により加熱定着させるようにした場合、上記の記録媒体における水分が蒸発して、この記録媒体における電気抵抗値が大きく上昇するようになる。
【０００６】
そして、このように記録媒体における電気抵抗値が大きく上昇した状態で、この記録媒体の反対側の面にトナー像を転写させ、このように転写されたトナー像を記録媒体の反対側の面に加熱定着させるようにした場合、記録媒体の反対側の面にトナー像が適切に転写されなくなったり、記録媒体の反対側の面に転写されたトナー像が適切に加熱定着されずに、オフセットが発生したりするという問題があった。
【０００７】
このため、従来においては、特許文献１に示されるように、記録媒体の片面に転写されたトナー像を加熱定着させた後、この記録媒体を反転移送手段により反転させて転写ローラに導く途中の位置において、上記の記録媒体の電気抵抗値を検出する電気抵抗検出手段を設け、この電気抵抗検出手段により測定した記録媒体の電気抵抗値に基づいて、画像形成時のプロセススピードを変更させたり、また上記の転写ローラに印加させる転写電圧を変更させたりすることが提案されている。
【０００８】
しかし、上記のように片面にトナー像を加熱定着させた後の記録媒体を反転移送手段により反転させて転写ローラに導く途中の位置において、上記の記録媒体の電気抵抗値を検出する抵抗検出手段を、転写ローラと像保持部材との間の電気抵抗を測定する抵抗測定装置と別個に設ける場合、コストが高くつくと共に、抵抗検出手段を設けるスペースの確保も必要になり、装置が大きくなるという問題があった。
【０００９】
また、上記のように片面にトナー像を加熱定着させた後の記録媒体においては、その電気抵抗値の時間的変化が記録媒体の種類や環境条件によって異なり、電気抵抗値が低い記録媒体においては電気抵抗値の減少速度が速い一方、電気抵抗値が高い記録媒体においては電気抵抗値の減少速度が遅くなり、また高湿度の環境下においては記録媒体の電気抵抗値の減少速度が速くなる。
【００１０】
このため、上記のように電気抵抗検出手段により測定した記録媒体の電気抵抗値に基づいて、画像形成時のプロセススピードを変更させたり、上記の転写ローラに印加させる転写電圧を変更させたりした場合においても、記録媒体の反対側の面にトナー像が適切に転写されなかったり、記録媒体の反対側の面に転写されたトナー像を加熱定着させる際にオフセットが発生したり、さらに画像形成時のプロセススピードが必要以上に遅くなって、画像形成効率が低下するなどの問題があった。
【特許文献１】特開平８−１９４４２４号公報
【発明の開示】
【発明が解決しようとする課題】
【００１１】
本発明は、像保持部材に保持されたトナー像を記録媒体に転写させる転写ローラと、このように転写されたトナー像を記録媒体に加熱定着させる定着装置と、トナー像が片面に定着された記録媒体を反転させて上記の転写ローラに導く反転移送手段とを備えた画像形成装置において、記録媒体の両面に画像形成を行う場合における上記のような様々な問題を解決することを課題とするものである。
【００１２】
すなわち、本発明においては、記録媒体の片面に転写されたトナー像を定着装置により加熱定着させた後、この記録媒体の反対側の面にトナー像を転写させ、このように転写されたトナー像を記録媒体の反対側の面に定着させる場合において、記録媒体の反対側の面にトナー像が適切に転写され、またこのように転写されたトナー像が記録媒体の反対側の面に適切に加熱定着されて、記録媒体の両面に良好な画像形成が簡単に行えるようにすることを課題とするものである。
【課題を解決するための手段】
【００１３】
本発明の第１の画像形成装置においては、上記のような課題を解決するため、像保持部材に保持されたトナー像を記録媒体に転写させる転写ローラと、このように転写されたトナー像を記録媒体に加熱定着させる定着装置と、トナー像が片面に定着された記録媒体を反転させて上記の転写ローラに導く反転移送手段とを備えた画像形成装置において、上記の転写ローラと像保持部材との間に記録媒体が存在しない状態と記録媒体の片面にトナー像を転写させている状態とにおける転写ローラと像保持部材との間の電気抵抗を測定する抵抗測定装置を設け、この抵抗測定装置により測定された結果から上記の記録媒体の電気抵抗値を算出すると共に、この記録媒体の電気抵抗値に基づいて上記の反転移送手段によりトナー像が片面に定着された記録媒体を反転させて転写ローラに導く時間を制御する制御装置を設けた。
【００１４】
そして、この第１の画像形成装置においては、上記のように算出された記録媒体の電気抵抗値が高くなるに従って、上記の制御装置により、上記の反転移送手段によってトナー像が片面に定着された記録媒体を反転させて上記の転写ローラに導く時間を遅くする。
【００１５】
また、この第１の画像形成装置において、画像形成装置内の湿度を検出する環境センサを設け、この環境センサにより測定された画像形成装置内の湿度に基づいて、上記の制御装置により、上記の反転移送手段によってトナー像が片面に定着された記録媒体を反転させて転写ローラに導く時間を制御させることが好ましい。
【００１６】
また、本発明の第２の画像形成装置においては、上記のような課題を解決するため、像保持部材に保持されたトナー像を記録媒体に転写させる転写ローラと、このように転写されたトナー像を記録媒体に加熱定着させる定着装置と、トナー像が片面に定着された記録媒体を反転させて上記の転写ローラに導く反転移送手段とを備えた画像形成装置において、上記の転写ローラと像保持部材との間に記録媒体が存在しない状態と記録媒体の片面にトナー像を転写させている状態とにおける転写ローラと像保持部材との間の電気抵抗を測定する抵抗測定装置を設け、この抵抗測定装置により測定された結果から上記の記録媒体の電気抵抗値を算出すると共に、この記録媒体の電気抵抗値に基づいて記録媒体の反対側の面にトナー像を転写させて記録媒体にトナー像を加熱定着させる速度を制御する制御装置を設けた。
【００１７】
そして、この第２の画像形成装置においては、上記のように算出された記録媒体の電気抵抗値が高くなるに従って、上記の制御装置により、記録媒体の反対側の面にトナー像を転写させて記録媒体にトナー像を加熱定着させる速度を遅くする。
【００１８】
また、この第２の画像形成装置においても、画像形成装置内の湿度を検出する環境センサを設け、この環境センサにより測定された画像形成装置内の湿度に基づいて、上記の制御装置により、記録媒体の反対側の面にトナー像を転写させて記録媒体にトナー像を加熱定着させる速度を制御させることが好ましい。
【発明の効果】
【００１９】
本発明における第１の画像形成装置においては、トナー像が片面に定着された記録媒体を反転移送手段により反転させて転写ローラに導き、この記録媒体の反対側の面にトナー像を転写させ、このように転写されたトナー像を記録媒体の反対側の面に定着させるにあたり、上記の抵抗測定装置により転写ローラと像保持部材との間に記録媒体が存在しない状態と、記録媒体の片面にトナー像を転写させている状態とにおける転写ローラと像保持部材との間の電気抵抗を測定し、この測定結果に基づいて、上記の制御装置により、上記の記録媒体の電気抵抗値を算出すると共に、算出された記録媒体の電気抵抗値に基づいて、反転移送手段によりトナー像が片面に定着された記録媒体を反転させて転写ローラに導く時間を制御するようにした。
【００２０】
そして、本発明における第１の画像形成装置においては、上記のように算出された記録媒体の電気抵抗値が高くなるに従って、上記の制御装置により、反転移送手段によってトナー像が片面に定着された記録媒体を反転させて転写ローラに導く時間を遅くさせるようにした。
【００２１】
このようにすると、電気抵抗値が高い記録媒体においては、トナー像が片面に加熱定着された記録媒体が反転されて転写ローラに導かれるまでの時間が長くなり、この記録媒体の電気抵抗値が適切に低減され、記録媒体の反対側の面にトナー像を転写させて定着させる場合に、記録媒体の反対側の面にトナー像が適切に転写されると共に、転写されたトナー像が記録媒体の反対側の面に適切に加熱定着されて、記録媒体の両面に良好な画像形成が簡単に行えるようになる。
【００２２】
また、この第１の画像形成装置において、画像形成装置内の湿度を検出する環境センサを設け、この環境センサによって測定された画像形成装置内の湿度に基づいて、上記の制御装置により、上記の反転移送手段によってトナー像が片面に定着された記録媒体を反転させて転写ローラに導く時間を制御させると、画像形成装置内の環境条件が変動した場合においても、記録媒体の両面に良好な画像形成が行えるようになる。
【００２３】
また、本発明における第２の画像形成装置においては、トナー像が片面に定着された記録媒体を反転移送手段により反転させて転写ローラに導き、この記録媒体の反対側の面にトナー像を転写させ、このように転写されたトナー像を記録媒体の反対側の面に定着させるにあたり、上記の抵抗測定装置により転写ローラと像保持部材との間に記録媒体が存在しない状態と、記録媒体の片面にトナー像を転写させている状態とにおける転写ローラと像保持部材との間の電気抵抗を測定し、この測定結果に基づいて、上記の制御装置により、上記の記録媒体の電気抵抗値を算出すると共に、算出された記録媒体の電気抵抗値に基づいて、記録媒体の反対側の面にトナー像を転写させて記録媒体にトナー像を加熱定着させる速度を制御するようにした。
【００２４】
そして、本発明における第２の画像形成装置においては、上記のように算出された記録媒体の電気抵抗値が高くなるに従って、上記の制御装置により、記録媒体の反対側の面にトナー像を転写させて記録媒体にトナー像を加熱定着させる速度を遅くさせるようにした。
【００２５】
このようにすると、電気抵抗値が高い記録媒体においては、記録媒体の反対側の面にトナー像を転写させて記録媒体にトナー像を加熱定着させるまでの時間が長くなり、この間に記録媒体の電気抵抗値が適切に低減され、記録媒体の反対側の面にトナー像を転写させて定着させる場合に、記録媒体の反対側の面にトナー像が適切に転写されると共に、転写されたトナー像が記録媒体の反対側の面に適切に加熱定着されて、記録媒体の両面に良好な画像形成が簡単に行えるようになる。
【００２６】
また、この第２の画像形成装置においても、第１の画像形成装置と同様に、画像形成装置内の湿度を検出する環境センサを設け、この環境センサによって測定された画像形成装置内の湿度に基づいて、上記の制御装置により、記録媒体の反対側の面にトナー像を転写させて記録媒体にトナー像を加熱定着させる速度を制御させると、画像形成装置内の環境条件が変動した場合においても、記録媒体の両面に良好な画像形成が行えるようになる。
【発明を実施するための最良の形態】
【００２７】
次に、本発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２８】
この実施形態における画像形成装置においては、画像形成を行うにあたり、図１に示すように、画像形成装置本体１０内に設けられた感光体１１を回転させ、この感光体１１の表面を帯電装置１２によって帯電させた後、帯電された感光体１１に対して露光装置１３により画像信号に従った露光を行い、この感光体１１の表面に静電潜像を形成するようにしている。
【００２９】
そして、色彩の異なるトナーを収容させた複数の現像装置１４Ａ〜１４Ｄを保持させた回転式現像装置１４において、先ず、感光体１１と対向する位置にある第１の現像装置１４Ａから所定の色彩のトナーを感光体１１に形成された静電潜像に供給して、感光体１１にこの色彩のトナー像を形成するようにしている。
【００３０】
次いで、このように感光体１１に形成されたトナー像をローラ１５に架け渡されて回転駆動される中間転写ベルト１６と対向する位置に導き、一次転写ローラ１５ａにより上記のトナー像を中間転写ベルト１６に転写させる一方、中間転写ベルト１６に転写されずに残ったトナーを第１クリーニング装置１７によって感光体１１の表面から除去させるようにしている。
【００３１】
そして、上記の回転式現像装置１４を回転させて、他の現像装置１４Ｂ〜１４Ｄを感光体１１と対向する位置に順々に導き、上記のようにして各色彩のトナー像を中間転写ベルト１６の上に順々に転写させて、この中間転写ベルト１６の上にフルカラーのトナー像を形成するようにしている。
【００３２】
そして、このように中間転写ベルト１６の上に形成されたフルカラーのトナー像を、この中間転写ベルト１６によって二次転写ローラ１８と対向する位置に導くと共に、画像形成装置本体１０の底部に収容されたシート状の記録媒体Ｓを、送りローラ１９ａ，１９ｂによって中間転写ベルト１６と二次転写ローラ１８との間に導き、上記の二次転写ローラ１８により中間転写ベルト１６に形成された上記のーのトナー像を記録媒体Ｓの片面に転写させるようにしている。
【００３３】
そして、このようにフルカラーのトナー像が片面に転写された記録媒体Ｓを定着装置２０に導き、この定着装置２０によって片面に転写されたトナー像を記録媒体Ｓに定着させるようにし、記録媒体Ｓの片面だけに画像を形成する場合には、上記のようにトナー像を定着させた記録媒体Ｓを排紙させるようにする。
【００３４】
また、上記の中間転写ベルト１６から記録媒体Ｓに転写されずに残ったトナーは、第２クリーニング装置２１によって中間転写ベルト１６の表面から除去させるようにしている。
【００３５】
そして、この実施形態における画像形成装置においては、記録媒体Ｓの両面に画像形成を行うようにするため、上記の定着装置２０によってトナー像が片面に定着された記録媒体Ｓを戻し、この記録媒体Ｓを反転させて上記の二次転写ローラ１８に導く反転移送手段２２として、複数の戻し案内ローラ２２ａ，２２ｂ，２２ｃを設け、これらの戻し案内ローラ２２ａ，２２ｂ，２２ｃによりトナー像が片面に定着された記録媒体Ｓを上記の送りローラ１９ｂに導くようにしている。
【００３６】
また、この実施形態における画像形成装置においては、上記の二次転写ローラ１８と中間転写ベルト１６との間の電気抵抗を測定する抵抗測定装置２３と、画像形成装置本体１０内の湿度や温度等を測定する環境センサ２４を設け、上記の抵抗測定装置２３によって測定された二次転写ローラ１８と中間転写ベルト１６との間の電気抵抗や、環境センサ２４によって測定された画像形成装置本体１０内の湿度や温度等の測定結果を制御装置３０に入力するようにしている。
【００３７】
そして、記録媒体Ｓの両面に画像形成を行う場合には、図２（Ａ）に示すように、上記の抵抗測定装置２３によって二次転写ローラ１８と中間転写ベルト１６との間に記録媒体Ｓが存在しない状態での電気抵抗を測定すると共に、図２（Ｂ）に示すように、上記のように記録媒体Ｓの片面にトナー像を転写させている状態での電気抵抗を測定し、これらの測定結果を上記の制御装置３０に入力すると共に、上記の環境センサ２４によって測定された画像形成装置本体１０内の湿度や温度等の測定結果を制御装置３０に入力する。
【００３８】
そして、この制御装置３０において、上記の抵抗測定装置２３から入力された結果に基づいて、上記の記録媒体Ｓの電気抵抗値を算出すると共に、算出された記録媒体Ｓの電気抵抗値と、環境センサ２４から入力された画像形成装置本体１０内の湿度や温度等の測定結果とを、この制御装置３０のメモリ（図示せず）に予め格納されている画像形成条件のデータと比較し、この制御装置３０により、上記の各戻し案内ローラ２２ａ，２２ｂ，２２ｃによってトナー像が片面に定着された記録媒体Ｓを上記の送りローラ１９ｂに導く速度や、前記のようにして中間転写ベルト１６に形成されたトナー像を二次転写ローラ１８と対向する位置に導くタイミングを制御するようにしている。
【００３９】
ここで、上記のように算出された記録媒体Ｓの電気抵抗値が高い場合や、環境センサ２４から入力された画像形成装置本体１０内の湿度が低い場合には、記録媒体Ｓの電気抵抗値の低下が遅くなるため、上記の制御装置３０により、上記の戻し案内ローラ２２ａ，２２ｂ，２２ｃによってトナー像が片面に定着された記録媒体Ｓを送りローラ１９ｂに導く速度や、中間転写ベルト１６に形成されたトナー像を二次転写ローラ１８と対向する位置に導くタイミングを遅くし、記録媒体Ｓの電気抵抗値が適切に低下されるようにする。
【００４０】
このようにすると、記録媒体Ｓの電気抵抗値が高い場合や、画像形成装置本体１０内の湿度が低い場合においても、トナー像が定着された面と反対側における記録媒体Ｓの面に、上記の二次転写ローラ１８によって中間転写ベルト１６に形成されたトナー像が適切に転写されると共に、このように転写されたトナー像が定着装置２０により適切に加熱定着されて、オフセットが発生するのが防止され、記録媒体Ｓの両面に良好な画像形成が行えるようになる。
【００４１】
また、記録媒体Ｓの電気抵抗値が低い場合や、画像形成装置本体１０内の湿度が高い場合には、上記の場合よりも、戻し案内ローラ２２ａ，２２ｂ，２２ｃによってトナー像が片面に定着された記録媒体Ｓを送りローラ１９ｂに導く速度や、中間転写ベルト１６に形成されたトナー像を二次転写ローラ１８と対向する位置に導くタイミングを速くすることができ、両面に画像形成を行う場合における画像形成速度が大きく低下するということがなく、記録媒体Ｓの両面に効率よく画像を形成することができるようになる。
【００４２】
ここで、この実施形態における画像形成装置においては、上記のように制御装置３０により、戻し案内ローラ２２ａ，２２ｂ，２２ｃによってトナー像が片面に定着された記録媒体Ｓを上記の送りローラ１９ｂに導く速度や、中間転写ベルト１６に形成されたトナー像を二次転写ローラ１８と対向する位置に導くタイミングを制御するようにしたが、トナー像が定着された面と反対側における記録媒体Ｓの面に上記の二次転写ローラ１８によってトナー像を転写させ、このように反対側の面に転写されたトナー像を定着装置２０によって記録媒体Ｓに加熱定着させる速度を制御させることも可能である。
【００４３】
なお、このように記録媒体Ｓの反対側の面にトナー像を転写させて記録媒体Ｓに加熱定着させる速度を制御するにあたり、前記のように記録媒体Ｓの電気抵抗値が高い場合や、画像形成装置本体１０内の湿度が低い場合において、上記の速度を遅くさせると、上記の実施形態の画像形成装置の場合と同様に、記録媒体Ｓの電気抵抗値が適切に低下し、記録媒体Ｓの反対側の面にトナー像が適切に転写されると共に、このように転写されたトナー像が定着装置２０により適切に加熱定着されて、オフセットが発生するのが防止され、記録媒体Ｓの両面に良好な画像形成が行えるようになる。
【００４４】
一方、記録媒体Ｓの電気抵抗値が低い場合や、画像形成装置本体１０内の湿度が高い場合には、上記の場合よりも、記録媒体Ｓの反対側の面にトナー像を転写させて記録媒体Ｓにトナー像を加熱定着させる速度を速くすることができ、両面に画像形成を行う場合における画像形成速度が大きく低下するということがなく、記録媒体Ｓの両面に効率よく画像を形成することができるようになる。
【００４５】
また、この実施形態においては、像保持部材が中間転写ベルト１６であるフルカラーの画像形成装置の場合において、この中間転写ベルト１６に形成されたトナー像を二次転写ローラ１８によって記録媒体Ｓに転写させるようにしたが、この発明の画像形成装置は、像保持部材が中間転写ベルト１６である場合に限定されるものではない。
【００４６】
例えば、図示していないが、像保持部材が感光体であり、この感光体から記録媒体に直接トナー像を転写させて定着させるようにした画像形成装置において、上記のように記録媒体の両面に画像を形成するようにしたものであってもよい。
【図面の簡単な説明】
【００４７】
【図１】本発明の一実施形態に係る画像形成装置の概略説明図である。
【図２】上記の実施形態における画像形成装置において、二次転写ローラと中間転写ベルトとの間に記録媒体が存在しない状態で、抵抗測定装置により二次転写ローラと中間転写ベルトとの間の電気抵抗を測定する状態、及び記録媒体の片面にトナー像を転写させている状態で、抵抗測定装置により二次転写ローラと中間転写ベルトとの間の電気抵抗を測定する状態を示した部分説明図である。
【符号の説明】
【００４８】
１０  画像形成装置本体
１１  感光体
２  帯電装置
３  露光装置
１４  回転式現像装置
１４Ａ〜１４Ｄ  現像装置
１５  ローラ
１５ａ  一次転写ローラ
１６  中間転写ベルト
１７  第１クリーニング装置
１８  二次転写ローラ
１９ａ，１９ｂ  送りローラ
２０  定着装置
２１  第２クリーニング装置
２２  反転移送手段
２２ａ，２２ｂ，２２ｃ  戻し案内ローラ
２３  抵抗測定装置
２４  環境センサ
３０  制御装置
Ｓ  記録媒体
【図１】
2010002434.tif 000003
【図２】
2010002434.tif 000004